(57)【特許請求の範囲】
【請求項１】
撮影レンズやシャッタ機構等の簡単な撮影機構が組み込まれ、予め写真フイルムパトローネが装填されているとともに、外形が曲面によって構成されたユニット本体と、このユニット本体を撮影レンズや各種操作部材を外部に露出させるようにして覆う紙箱とからなるレンズ付きフイルムユニットにおいて、
前記ユニット本体の外形を構成する部品に基準面を形成する複数の凹状の平面部を設け、前記平面部は該ユニット本体の外形を構成する部品の表面から突出しないことを特徴とするレンズ付きフイルムユニット。
【請求項２】
前記ユニット本体の外形を構成する部品の一部に開口を形成し、この部品の表面から突出しないように、該ユニット本体内に収納された部品の平面部を該開口から露出させ、この平面部の前記基準面に対する高さを測定できるようにしたことを特徴とする請求項１記載のレンズ付きフイルムユニット。
【請求項３】
前記平面部は、ユニット本体に紙箱が被せられた際に、紙箱に覆われて外観上見えなくなる位置に配置されていることを特徴とする請求項１または２記載のレンズ付きフイルムユニット。
【発明の詳細な説明】
【０００１】
【産業上の利用分野】
本発明はレンズ付きフィルムユニットに関し、更に詳しくは、外形が曲面で構成されたレンズ付きフイルムユニットの製造効率向上のための改良に関するものである。
【０００２】
【従来の技術】
撮影レンズやシャッタ機構等の簡単な撮影機構が組み込まれ、パトローネとこのパトローネから引き出した未露光の写真フイルムとを内蔵させたレンズ付きフィルムユニット、例えば「写ルンですSuper800」（商品名）等が本出願人より製造販売されている。このレンズ付きフィルムユニットは、気軽に購入して写真撮影が楽しめるように、前記各機構やユニット本体の各部を樹脂部品にして、その製造コストを安価にしている。
【０００３】
レンズ付きフイルムユニットは、写真フイルムパトローネと各種撮影機構とが組み込まれたユニット本体と、このユニット本体の表面に、撮影レンズや各種操作部材等を露出させた状態で被せられる紙箱とから構成されている。ユニット本体は、写真フイルムが収納されるフイルムロール室と、パトローネが収納されるパトローネ室とが一体に形成され、前面に撮影レンズやシャッタ機構等が一体化された露光ユニットが取り付けられる本体基部と、この本体基部の背面側に組み付けられてフイルムロール室及びパトローネ室を光密に維持する後カバーと、本体基部の前面側に組み付けられて露光ユニットを保護する前カバーとから構成されている。
【０００４】
ところで、近年の工業製品は、外形形状に曲線や曲面が多用される傾向がある。このような傾向は、レンズ付きフイルムユニットにおいても同様であり、前面やグリップ部が曲面で構成されたレンズ付きフイルムユニットが各種販売されている。このように、レンズ付きフイルムユニットの前面に曲面を用いると、撮影レンズの突出感を軽減することができ、更にユニット本体と紙箱との間を密着させて隙間が発生しないようにすることもでき、デザイン面においての効果も得られる。
【０００５】
【発明が解決しようとする課題】
しかしながら、前カバー等の外形部品に曲面が多用されると、外形部品の製造時やユニット本体として完成したときの寸法測定等の品質検査時に、基準となる面が得られなくなるという問題が発生する。また、ユニット本体の組立て時に外形部品を治具で保持しようとしても、位置決めが難しく安定性の悪いものとなり、ユニット本体の製造効率に悪影響を与えてしまう。
【０００６】
本発明は、上記問題点に鑑みてなされたもので、ユニット本体や外形部品単体時での寸法測定等を容易にして適正な品質管理を行えるようにし、更にユニット本体組立て時の外形部品の安定性を向上させて、製造効率の向上を実現することを目的とする。
【０００７】
【課題を解決するための手段】
上記問題点を解決するために、請求項１記載のレンズ付きフイルムユニットでは、ユニット本体の外形を構成する部品に基準面を形成する複数の凹状の平面部を設け、これらの平面部はユニット本体の外形を構成する部品の表面から突出しないようにした。また、請求項２記載のレンズ付きフイルムユニットでは、ユニット本体の外形を構成する部品の一部に開口を形成し、この部品の表面から突出しないように、該ユニット本体内に収納された部品の平面部を該開口から露出させ、この平面部の前記基準面に対する高さを測定できるようにしたものである。
【０００８】
更に、請求項３記載のレンズ付きフイルムユニットは、ユニット本体に紙箱が被せられた際に、紙箱に覆われて外観上見えなくなる位置に平面部を配置するようにしたものである。これにより、平面部によるレンズ付きフイルムユニットの見栄えへの悪影響はない。
【０００９】
【実施例】
本発明のレンズ付きフイルムユニットの外観を示す図２において、レンズ付きフイルムユニット２は、撮影機構等が内蔵されたユニット本体３とこのユニット本体３に被せられる紙箱４とから構成されている。紙箱４は、ユニット本体３に組み込まれた巻上げノブ５やシャッタボタン６等を露呈させるような輪郭となっており、撮影レンズ７，ファインダ８，撮影枚数表示窓９，ストロボ発光部１０，ストロボ充電スイッチ１１等を露出させるための穴が設けられている。また、紙箱４の前面は、ユニット本体３の前面の膨らみに合わせて、図中２点鎖線１２，１３で示すような曲面となっている。
【００１０】
ユニット本体３は、図１に分解して示すように、本体基部１４，露光ユニット１５，ストロボユニット１６，後カバー１７及び前カバー１８とから構成されており、これらは爪係合によって着脱自在に組み付けられている。
【００１１】
本体基部１４は、不透明なプラスチックで形成されており、光軸２０を挟む両側には、パトローネを収納するパトローネ収納室２１と、写真フイルムをロール状にして収納するフイルムロール室２２とが一体に形成されている。パトローネ収納室２１の外壁前面は、フイルムロール室２２の外壁前面よりも前方に突出した形状となっている。
【００１２】
後カバー１７は、不透明なプラスチックで形成されており、本体基部１４の背面側に組み付けられてパトローネ収納室２１とフイルムロール室２２とを光密に維持する。また、後カバー１７には、パトローネ収納室２１とフイルムロール室２２との底面を覆うプルトップ式の蓋１７ａ，１７ｂがそれぞれ一体に設けられており、蓋１７ａは露光済みの写真フイルムを収納したパトローネを取り出すときの取り出し蓋となる。
【００１３】
露光ユニット１５は、不透明なプラスチックで形成されたベース部２４に、残りコマ数を表示する撮影枚数表示板２５やシャッタ羽根等からなるフイルム巻止め機構及びシャッタ機構が組み込まれている。また、ベース部２４の前面には撮影レンズ７が、上部にはファインダ８が組み込まれている。この露光ユニット１５は、本体基部１４の前面に着脱自在に取り付けられる。
【００１４】
ストロボユニット１６は、ストロボ発光部１０と回路基板２７とから構成されている。回路基板２７には、ストロボ回路を構成する電気部品や、露光ユニット１５のシャッタ機構によってオンされるシンクロスイッチ２８、ストロボユニット１６の電源となる乾電池２９を接続するための接片３１ａ，３１ｂ等が取り付けられている。回路基板２７には、ストロボ回路への充電スイッチ用に２個の接点部３２ａ，３２ｂが近接して設けられており、これらの接点部３２ａ，３２ｂに同時に当接して充電を開始させるための金属接片３３が、接点部３２ａ，３２ｂに対面するように配置されている。この金属接片３３は、本体基部１４のフイルムロール室２２の外壁前面に取り付けられている。
【００１５】
前カバー１８は不透明なプラスチックで形成されており、上面１８ａにはシャッタボタン６，撮影枚数表示窓９が、前面１８ｂにはストロボ発光部１０用の開口３５，ストロボ充電スイッチ１１，撮影レンズ７が収められるレンズフード３６等が形成されている。前カバー１８の前面１８ｂは、図中２点鎖線３７，３８で示すような曲面形状とされており、中央部分が周辺部よりも前方に向かって突出されている。これにより、周辺部分が中央部分よりも薄型化されるので操作性や携帯性が向上し、更にレンズフード３６の突出が目立たなくなるので、全体としてすっきりとしたデザインとなる。そして、前カバー１８にはパトローネ収納室２１の突出に合わせた突出部３９が形成されており、この突出部３９は撮影時にグリップとなる。
【００１６】
開口３５の下方に設けられたストロボ充電スイッチ１１は、前カバー１８に弾性を有するように一体に設けられ、金属接片３３の前面側に配置された押圧片４１と、この押圧片４１の自由端側前面に組み付けられる操作レバー４２と、この操作レバー４２を前カバー１８の前面１８ｂに対して起伏自在に保持する保持部４３とから構成されている。操作レバー４２は、前カバー１８の前面１８ｂに対して起立されているあいだ押圧片４１を押圧し、金属接片３３を回路基板２７の接点部３２ａ，３２ｂに接触させる。これにより、ストロボ充電が連続して行われる。また操作レバー４２は、前カバー１８の前面１８ｂに対して図２に示すように倒伏されている状態では、従来のストロボ充電スイッチのように押圧操作することができ、この場合には操作レバー４２が押圧されている間だけストロボ充電が行われる。
【００１７】
また、前カバー１８の前面には、前カバー１８単体や完成されたユニット本体３の品質検査時の寸法測定の基準面として、あるいはユニット本体３の組立て時の治具による保持面として用いられる、複数個の平面部４４，４５，４６，４７が形成されている。これらの平面部４４〜４７は、例えば平面部４４の断面を示す図３のように、前カバー１８の前面１８ｂに対して一段引っ込んで形成されているため、従来の紙箱４に何ら加工を施すような必要はない。
【００１８】
更に、前カバー１８の前面１８ｂには開口４９が形成されており、この開口４９からは前カバー１８が本体基部１４に組み付けられた時に、図４に示すように、フイルムロール室２２の前面に形成された平面部５０が露出される。これにより、ユニット本体３の品質検査時に、前カバー１８の前面１８ｂの平面部４４〜４７に対する開口４９から露出される平面部５０の高さを測定することにより、容易にユニット本体３の組立て状況を検査することができる。なお、前カバー１８の平面部４４〜４７及び開口４９は、ユニット本体３に紙箱４が被せられた際に、全て紙箱４によって隠される位置に配置されているので、レンズ付きフイルムユニット２の見栄えに悪影響を与えることはない。
【００１９】
なお、上記実施例では、前カバーに形成された平面部４４〜４７を４個とし、開口４９を１個としたが、これらの個数や配置は限定されるものではなく、検査装置や治具の形状等によって適当な個数や配置を採用することができる。また、外形部品として前カバーを例に説明したが、後カバーの外形が曲面形状とされ、この後カバーを品質検査や組立て時の保持に利用するのならば、後カバーに平面部や開口を設けるようにしてもよい。
【００２０】
【発明の効果】
以上説明したように、本発明のレンズ付きフイルムユニットは、ユニット本体の外形を構成する部品の一部に、品質検査や組立工程での位置決めに用いられる平面部、あるいは内部部品の平面部を露出させて品質検査や組立工程での位置決めに用いるための開口等を設けるようにしたので、外形部品が曲面で構成されていても的確な品質検査が行え、更に安定した組立て作業を行うことができる。また、平面部と開口とは、紙箱によって隠される位置に配置するようにしたので、レンズ付きフイルムユニットの見栄えに何ら影響を与えることはない。
【図面の簡単な説明】
【図１】ユニット本体の構成を示す分解斜視図である。
【図２】本発明のレンズ付きフイルムユニットの外観を示す斜視図である。
【図３】前カバーの平面部の要部断面図である。
【図４】前カバーの開口の要部断面図である。
【符号の説明】
２  レンズ付きフイルムユニット
３  ユニット本体
４  紙箱
１４  本体基部
１８  前カバー
４４，４５，４６，４７，５０  平面部
４９  開口
【図１】
0003759978.tif 000002
【図２】
0003759978.tif 000003
【図３】
0003759978.tif 000004
【図４】
0003759978.tif 000005